(57)【要約】【課題】ダウンリンクＭＩＭＯ（Ｍｕｌｔｉ  Ｉｎｐｕｔ  Ｍｕｌｔｉ  Ｏｕｔｐｕｔ）システムにおいてチャンネル測定のための参照信号を送信する好適な方法を提供すること。【解決手段】本願発明の方法は、Ｎｔ（Ｎｔ≧１）個の送信アンテナが構成された基地局が、チャンネル測定のためのＮｔ個の参照信号を構成するステップと、前記基地局が、Ｎｔ個の参照信号をサブフレーム内において特定周期で該ユーザー機器へ送信するステップとを含む。前記特定周期は、２個以上のサブフレームを含む。【選択図】図１４
2014090498.tif 000002
【特許請求の範囲】
【請求項１】
基地局により参照信号を送信する方法であって、
前記方法は、
セル特定参照信号を送信することを含み、
前記セル特定参照信号は、複数のサブフレームのグループの間に繰り返し送信され、
前記複数のサブフレームの前記グループは、５個のサブフレームの正の整数倍である特定周期で構成され、
前記複数のサブフレームの各々は、時間軸に沿って、物理ダウンリンク制御チャンネル送信のための制御領域と、物理ダウンリンク共有チャネル送信のためのデータ領域とに分割され、
前記セル特定参照信号は、前記制御領域以外の前記複数のサブフレームの各々の前記データ領域において送信される、方法。
【請求項２】
前記セル特定参照信号は、前記複数のサブフレームの各々において特定資源ブロック上で送信される、請求項１に記載の方法。
【請求項３】
前記複数のサブフレームの各々は、２個のスロットを含み、前記スロットの各々は、時間軸に沿って、７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、
前記制御領域は、前記２個のスロットのうちの第１のスロットの前部分に位置する１個〜３個のＯＦＤＭシンボルからなり、前記データ領域は、残りのＯＦＤＭシンボルからなる、請求項１または２に記載の方法。
【請求項４】
ユーザー機器により参照信号を受信する方法であって、
前記方法は、
セル特定参照信号を受信することを含み、
前記セル特定参照信号は、複数のサブフレームのグループの間に繰り返し受信され、
前記複数のサブフレームの前記グループは、５個のサブフレームの正の整数倍である特定周期で構成され、
前記複数のサブフレームの各々は、時間軸に沿って、物理ダウンリンク制御チャンネル送信のための制御領域と、物理ダウンリンク共有チャネル送信のためのデータ領域とに分割され、
前記セル特定参照信号は、前記制御領域以外の前記複数のサブフレームの各々の前記データ領域において受信される、方法。
【請求項５】
前記セル特定参照信号は、前記複数のサブフレームの各々において特定資源ブロック上で受信される、請求項４に記載の方法。
【請求項６】
前記複数のサブフレームの各々は、２個のスロットを含み、前記スロットの各々は、時間軸に沿って、７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、
前記制御領域は、前記２個のスロットのうちの第１のスロットの前部分に位置する１個〜３個のＯＦＤＭシンボルからなり、前記データ領域は、残りのＯＦＤＭシンボルからなる、請求項４または５に記載の方法。
【請求項７】
基地局であって、
前記基地局は、
処理ユニットと、
前記処理ユニットに電気的に接続された無線周波数ユニットであって、セル特定参照信号をユーザー機器に送信する無線周波数ユニットと
を含み、
前記セル特定参照信号は、複数のサブフレームのグループの間に繰り返し送信され、
前記複数のサブフレームの前記グループは、５個のサブフレームの正の整数倍である特定周期で構成され、
前記複数のサブフレームの各々は、時間軸に沿って、物理ダウンリンク制御チャンネル送信のための制御領域と、物理ダウンリンク共有チャネル送信のためのデータ領域とに分割され、
前記セル特定参照信号は、前記制御領域以外の前記複数のサブフレームの各々の前記データ領域において送信される、基地局。
【請求項８】
前記セル特定参照信号は、前記複数のサブフレームの各々において特定資源ブロック上で送信される、請求項７に記載の基地局。
【請求項９】
前記複数のサブフレームの各々は、２個のスロットを含み、前記スロットの各々は、時間軸に沿って、７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、
前記制御領域は、前記２個のスロットのうちの第１のスロットの前部分に位置する１個〜３個のＯＦＤＭシンボルからなり、前記データ領域は、残りのＯＦＤＭシンボルからなる、請求項７または８に記載の基地局。
【請求項１０】
ユーザー機器であって、
前記ユーザー機器は、
処理ユニットと、
前記処理ユニットに電気的に接続された無線周波数ユニットであって、セル特定参照信号を受信する無線周波数ユニットと
を含み、
前記セル特定参照信号は、複数のサブフレームのグループの間に繰り返し受信され、
前記複数のサブフレームの前記グループは、５個のサブフレームの正の整数倍である特定周期で構成され、
前記複数のサブフレームの各々は、時間軸に沿って、物理ダウンリンク制御チャンネル送信のための制御領域と、物理ダウンリンク共有チャネル送信のためのデータ領域とに分割され、
前記セル特定参照信号は、前記制御領域以外の前記複数のサブフレームの各々の前記データ領域において受信される、ユーザー機器。
【請求項１１】
前記特定周期は、前記セル特定参照信号を含むサブフレーム間の間隔に基づいて決定される、請求項１０に記載のユーザー機器。
【請求項１２】
前記複数のサブフレームの各々は、２個のスロットを含み、前記スロットの各々は、時間軸に沿って、７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、
前記制御領域は、前記２個のスロットのうちの第１のスロットの前部分に位置する１個〜３個のＯＦＤＭシンボルからなり、前記データ領域は、残りのＯＦＤＭシンボルからなる、請求項１０または１１に記載のユーザー機器。
【発明の詳細な説明】
【技術分野】
【０００１】
本発明は、多重アンテナ（ＭＩＭＯ）通信システムにおいて、既存のシステムにアンテナが追加される環境で効率的に参照信号を提供するための方法に関するものである。
【背景技術】
【０００２】
（ＬＴＥ物理構造）
３ＧＰＰ（３ｒｄ  Ｇｅｎｅｒａｔｉｏｎ  Ｐａｒｔｎｅｒｓｈｉｐ  Ｐｒｏｐｊｅｃｔ）  ＬＴＥ（Ｌｏｎｇ  Ｔｅｒｍ  Ｅｖｏｌｕｔｉｏｎ）は、ＦＤＤ（Ｆｒｅｑｕｅｎｃｙ  Ｄｉｖｉｓｉｏｎ  Ｄｕｐｌｅｘ）に適用可能なタイプ１の無線フレーム構造と、ＴＤＤ（Ｔｉｍｅ  Ｄｉｖｉｓｉｏｎ  Ｄｕｐｌｅｘ）に適用可能なタイプ２の無線フレーム構造をサポートする。
【０００３】
図１は、タイプ１の無線フレームの構造を示す。タイプ１の無線フレームは１０個のサブフレームで構成され、１個のサブフレームは２個のスロットで構成される。
【０００４】
図２は、タイプ２の無線フレームの構造を示す。タイプ２の無線フレームは２個のハーフフレームで構成され、各ハーフフレームは、５個のサブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）を含んで構成され、このうち１個のサブフレームは２個のスロットで構成される。ＤｗＰＴＳは、端末での初期セル探索、同期化又はチャンネル推定に使用される。ＵｐＰＴＳは、基地局でのチャンネル推定に使用されるとともに、端末のアップリンク伝送同期を合わせるのに使用される。保護区間は、アップリンクとダウンリンクとの間で、ダウンリンク信号の多重経路遅延によってアップリンクで生じる干渉を除去するための区間である。すなわち、無線フレームのタイプとは関係なく、１個のサブフレームは２個のスロットで構成される。
【０００５】
図３は、ＬＴＥダウンリンクのスロット構造を示す。図３に示すように、各スロットで伝送される信号は、
【０００６】
【化１】
2014090498.tif 000003
の副搬送波及び
【０００７】
【化２】
2014090498.tif 000004
のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成される資源格子によって描写することができる。ここで、
【０００８】
【化３】
2014090498.tif 000005
は、ダウンリンクでの資源ブロック（Ｒｅｓｏｕｒｃｅ  Ｂｌｏｃｋ；ＲＢ）の個数を示し、
【０００９】
【化４】
2014090498.tif 000006
は、一つのＲＢを構成する副搬送波の個数を示し、
【００１０】
【化５】
2014090498.tif 000007
は、一つのダウンリンクスロットでのＯＦＤＭシンボルの個数を示す。
【００１１】
図４は、ＬＴＥアップリンクスロット構造を示す。
【００１２】
図４に示すように、各スロットで伝送される信号は、
【００１３】
【化６】
2014090498.tif 000008
の副搬送波及び
【００１４】
【化７】
2014090498.tif 000009
のＯＦＤＭシンボルで構成される資源格子によって描写することができる。ここで、
【００１５】
【化８】
2014090498.tif 000010
は、アップリンクでのＲＢの個数を示し、
【００１６】
【化９】
2014090498.tif 000011
は、一つのＲＢを構成する副搬送波の個数を示し、
【００１７】
【化１０】
2014090498.tif 000012
は、一つのアップリンクスロットでのＯＦＤＭシンボルの個数を示す。
【００１８】
資源要素は、前記アップリンクスロットとダウンリンクスロット内でインデックス（ａ，ｂ）として定義される資源単位であって、１個の副搬送波と１個のＯＦＤＭシンボルを示す。ここで、ａは周波数軸上のインデックスで、ｂは時間軸上のインデックスである。
【００１９】
図５は、ダウンリンクサブフレームの構造を示す図である。図５において、一つのサブフレーム内で１番目のスロットの前部分に位置した最大３個のＯＦＤＭシンボルは、制御チャンネルに割り当てられた制御領域に対応する。そして、残りのＯＦＤＭシンボルは、物理ダウンリンク共有チャンネル（Ｐｈｙｓｉｃａｌ  Ｄｏｗｎｌｉｎｋ  Ｓｈａｒｅｄ
Ｃｈａｎｎｅｌ；ＰＤＳＣＨ）に割り当てられたデータ領域に対応する。３ＧＰＰ  ＬＴＥで使用されるダウンリンク制御チャンネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）などがある。
【００２０】
（多重アンテナ（ＭＩＭＯ）技術の定義）
ＭＩＭＯは、Ｍｕｌｔｉｐｌｅ―Ｉｎｐｕｔ  Ｍｕｌｔｉｐｌｅ―Ｏｕｔｐｕｔの略語であって、これまで一つの送信アンテナと一つの受信アンテナを使用していたことから脱皮し、多重送信アンテナと多重受信アンテナを採択して送受信データ効率を向上できる方法をいう。すなわち、ＭＩＭＯは、無線通信システムの送信端又は受信端で多重アンテナを使用して容量を増大させたり、性能を改善する技術である。ここでは、ＭＩＭＯを多重アンテナと称することにする。
【００２１】
多重アンテナ技術とは、メッセージを受信するために単一アンテナ経路に依存することなく、多くのアンテナを介して受信された断片化したデータを一ヶ所に集めてメッセージを完成する技術を応用したものである。前記多重アンテナ技術は、特定範囲でデータ伝送速度を向上させたり、特定データ伝送速度に対してシステム範囲を増加できるので、移動通信端末と中継器などに幅広く使用可能な次世代の移動通信技術である。前記技術は、データ通信拡大などによって限界状況に至った移動通信の伝送量限界を克服できる次世代の技術として関心を集めている。
【００２２】
図６は、一般的な多重アンテナ（ＭＩＭＯ）通信システムの構成図である。図６に示すように、送信アンテナの数をＮＴ個に、受信アンテナの数をＮＲ個に同時に増加させると、送信機や受信機のみで多数のアンテナを使用する場合とは異なり、アンテナの数に比例して理論的にチャンネル伝送容量が増加する。したがって、伝送率を向上させ、周波数効率を画期的に向上させることが可能である。チャンネル伝送容量の増加による伝送率は、理論的に一つのアンテナを用いる場合の最大伝送率
【００２３】
【化１１】
2014090498.tif 000013
に下記の数学式１の増加率
【００２４】
【化１２】
2014090498.tif 000014
が掛け算された分だけ増加し得る。
【００２５】
【数１】
2014090498.tif 000015
例えば、４個の送信アンテナと４個の受信アンテナを用いるＭＩＭＯ通信システムでは、単一アンテナシステムに比べて、理論的に４倍の伝送率を獲得することができる。このような多重アンテナシステムの理論的な容量増加が９０年代中盤に証明されて以来、実質的にデータ伝送率を向上させるために多様な技術が現在まで活発に研究されており、これらのうちいくつかの技術は、既に３世代移動通信と次世代の無線ランなどの多様な無線通信の標準に反映されている。
【００２６】
現在までの多重アンテナと関連した研究動向を見ると、多様なチャンネル環境及び多重接続環境での多重アンテナ通信容量計算などと関連した情報理論側面研究、多重アンテナシステムの無線チャンネル測定及び模型導出研究、そして、伝送信頼度向上及び伝送率向上のための時空間信号処理技術研究などの多様な観点から活発な研究が進められている。
【００２７】
（３ＧＰＰ  ＬＴＥダウンリンクシステムでの端末機専用参照信号割り当て方式）
前記で説明した３ＧＰＰ  ＬＴＥがサポートする無線フレーム構造のうちＦＤＤに適用可能な無線フレームの構造を詳細に見ると、１０ｍｓｅｃ間の時間に一つのフレームが伝送されるが、このフレームは、１ｍｓｅｃの区間にわたって１０個のサブフレームで構成される。一つのサブフレームは、１４個又は１２個のＯＦＤＭシンボルで構成され、一つのＯＦＤＭシンボルでは、副搬送波の個数を１２８、２５６、５１２、１０２４、１５３６、２０４８のうち一つに選定して使用するようになる。
【００２８】
図７は、１ＴＴＩ（Ｔｒａｎｓｍｉｓｓｉｏｎ  Ｔｉｍｅ  Ｉｎｔｅｒｖａｌ）が１４個のＯＦＤＭシンボルを有する標準循環前置（ｎｏｒｍａｌ  Ｃｙｃｌｉｃ  Ｐｒｅｆｉｘ；ｎｏｒｍａｌ  ＣＰ）を使用するサブフレームにおける端末機専用のダウンリンク参照信号構造を示した図である。図７において、Ｒ５は端末機専用の参照信号を示し、
【００２９】
【化１３】
2014090498.tif 000016
は、サブフレーム上のＯＦＤＭシンボルの位置を示す。
【００３０】
図８は、１ＴＴＩが１２個のＯＦＤＭシンボルを有する拡張循環前置（ｅｘｔｅｎｄｅｄ  Ｃｙｃｌｉｃ  Ｐｒｅｆｉｘ；ｅｘｔｅｎｄｅｄ  ＣＰ）を使用するサブフレームにおける端末機専用のダウンリンク参照信号の構造を示した図である。
【００３１】
図９〜図１１は、１ＴＴＩが１４個のＯＦＤＭシンボルを有する場合、それぞれ１、２、４個の送信アンテナを有するシステムのための端末機共通のダウンリンク参照信号の構造を示した図である。図９〜図１１において、Ｒ０は送信アンテナ０に対するパイロットシンボルを示し、Ｒ１は送信アンテナ１に対するパイロットシンボルを示し、Ｒ２は送信アンテナ２に対するパイロットシンボルを示し、Ｒ３は送信アンテナ３に対するパイロットシンボルを示す。各送信アンテナのパイロットシンボルが使用された副搬送波には、パイロットシンボルを伝送する送信アンテナを除いた他の全ての送信アンテナとの干渉をなくすために信号を伝送しない。
【００３２】
図７と図８は、端末機専用のダウンリンク参照信号の構造を示し、これは、図９〜図１１の端末機共通のダウンリンク参照信号と同時に使用することができる。例えば、制御情報が伝送される１番目のスロットのＯＦＤＭシンボル０、１、２番では図９〜図１１の端末機共通のダウンリンク参照信号を使用し、残りのＯＦＤＭシンボルでは端末機専用のダウンリンク参照信号を使用することができる。また、予め定義されたシーケンス（例えば、Ｐｓｅｕｄｏ―ｒａｎｄｏｍ（ＰＮ）、ｍ―ｓｅｑｕｅｎｃｅなど）をセル別のダウンリンク参照信号に掛け算して伝送することによって、受信機で隣接セルから受信されるパイロットシンボルの信号の干渉を減少させ、チャンネル推定性能を向上させることができる。ＰＮシーケンスは、一つのサブフレーム内のＯＦＤＭシンボル単位で適用され、セルＩＤ、サブフレーム番号、ＯＦＤＭシンボルの位置及び端末機のＩＤによって異なるＰＮシーケンスが適用され得る。
【００３３】
一例として、図９の１Ｔｘパイロットシンボルの構造の場合、パイロットシンボルを含む特定ＯＦＤＭシンボルに一つの送信アンテナのパイロットシンボルが２個使用されていることが分かる。３ＧＰＰ  ＬＴＥシステムの場合、多くの種類の帯域幅で構成されたシステムがあるが、その種類は６ＲＢ（Ｒｅｓｏｕｒｃｅ  Ｂｌｏｃｋ）〜１１０ＲＢである。したがって、パイロットシンボルを含む一つのＯＦＤＭシンボルに使用される１個の送信アンテナのパイロットシンボルの個数は２×ＮＲＢであって、各セル別のダウンリンク参照信号に掛け算して使用されるシーケンスは、２×ＮＲＢの長さを有さなければならない。このとき、ＮＲＢは、帯域幅によるＲＢの個数を示し、シーケンスとしては、２進シーケンス又は複素シーケンスなどを使用することができる。下記の数学式２のｒ（ｍ）は、複素シーケンスの一例を示している。
【００３４】
【数２】
2014090498.tif 000017
前記数学式２において、
【００３５】
【化１４】
2014090498.tif 000018
は、最大帯域幅に該当するＲＢの個数であるので、前記説明によると、１１０に決定することができ、ｃは、ＰＮシーケンスであって、長さ−３１のゴールド（Ｇｏｌｄ）シーケンスと定義することができる。端末機専用ダウンリンク参照信号の場合、前記数学式２は、下記の数学式３のように表現することができる。
【００３６】
【数３】
2014090498.tif 000019
前記数学式３において、
【００３７】
【化１５】
2014090498.tif 000020
は、特定端末機に割り当てられたダウンリンクデータに該当するＲＢの個数を示す。したがって、端末機に割り当てられたダウンリンクデータの量によってシーケンスの長さが変わり得る。
【００３８】
ＬＴＥシステムを改善したシステムを３ＧＰＰ  ＬＴＥ―Ａｄｖａｎｃｅｄ（以下、ＬＴＥ―Ａという。）システムとするとき、ＬＴＥ―Ａシステムで基地局から端末機に参照信号を伝送する場合、既存のＬＴＥ端末機への影響を最小化しながら参照信号のオーバーヘッドを最小化する方法が提供されなければならない。
【発明の概要】
【発明が解決しようとする課題】
【００３９】
本発明が解決しようとする課題は、多数のデータストリームを伝送可能にする端末機専用のダウンリンク参照信号の構造を提供することにある。
【００４０】
本発明で達成しようとする各技術的課題は、上述した各技術的課題に制限されるものでなく、言及していない他の技術的課題は、下記の記載から本発明の属する技術分野で通常の知識を有する者に明確に理解されるだろう。
【課題を解決するための手段】
【００４１】
前記課題を解決するための本発明の一様相に係る、合計Ｍ個の基地局送信アンテナのうちＮ個の基地局送信アンテナをサポートする第１のユーザー機器と、前記Ｍ（Ｍ＞Ｎ）個の基地局送信アンテナをサポートする第２のユーザー機器とをサポートするダウンリンクＭＩＭＯ（Ｍｕｌｔｉ  Ｉｎｐｕｔ  Ｍｕｌｔｉ  Ｏｕｔｐｕｔ）システムにおいて、チャンネル測定のための参照信号（Ｒｅｆｅｒｅｎｃｅ  Ｓｉｇｎａｌ；ＲＳ）を伝送する方法は、基地局で、前記Ｍ個の送信アンテナに対する共通参照信号（Ｃｏｍｍｏｎ  Ｒｅｆｅｒｅｎｃｅ  Ｓｉｇｎａｌ；ＣＲＳ）を伝送するために所定個数のサブフレーム又は資源ブロック（Ｒｅｓｏｕｒｃｅ  Ｂｌｏｃｋ；ＲＢ）をグループ化すること；及び前記所定個数のサブフレーム又は資源ブロックを前記第２のユーザー機器に伝送することを含み、前記グループとして決定された所定個数のサブフレーム又は資源ブロックは、特定周期で前記第２のユーザー機器に伝送され、前記所定個数のサブフレーム又は資源ブロックのそれぞれには、前記Ｍを前記所定個数で割り算した値に該当する互いに異なる送信アンテナポートに該当する共通参照信号が写像される。
【００４２】
前記特定周期は、前記グループに含まれた所定個数のサブフレームのうち最初に伝送されるサブフレームと、次の周期のグループに含まれた所定個数のサブフレームのうち最初に伝送されるサブフレームとの間の間隔を基準にして定めることができる。
【００４３】
前記特定周期は、前記グループに含まれた所定個数のサブフレームのうち最初に伝送されるサブフレームと、次の周期のグループに含まれた所定個数のサブフレームのうち最後に伝送されるサブフレームとの間の間隔を基準にして定めることができる。
【００４４】
前記所定個数のサブフレームは、時間軸上で互いに連続していてもよい。
【００４５】
前記所定個数のサブフレームのそれぞれは、所定オフセットだけ時間軸上で互いに離隔していてもよい。
【００４６】
前記Ｎは４で、前記Ｍは８で、前記所定個数は２であってもよい。
【００４７】
前記周期によってグループに含まれるサブフレーム上の共通参照信号のパターンは、互いに異なり得る。
【００４８】
本発明の他の様相に係る合計Ｍ個の送信アンテナのうちＮ個の送信アンテナをサポートする第１のユーザー機器と、前記Ｍ（Ｍ＞Ｎ）個の送信アンテナをサポートする第２のユーザー機器とをサポートするダウンリンクＭＩＭＯ（Ｍｕｌｔｉ  Ｉｎｐｕｔ  Ｍｕｌｔｉ  Ｏｕｔｐｕｔ）システムにおいて、チャンネル測定のための参照信号（Ｒｅｆｅｒｅｎｃｅ  Ｓｉｇｎａｌ；ＲＳ）を伝送する方法は、基地局で、前記Ｍ個の送信アンテナに対する共通参照信号（Ｃｏｍｍｏｎ  Ｒｅｆｅｒｅｎｃｅ  Ｓｉｇｎａｌ；ＣＲＳ）を伝送するためにサブフレーム上の所定個数の資源ブロック（Ｒｅｓｏｕｒｃｅ  Ｂｌｏｃｋ；ＲＢ）をグループ化すること；及び前記サブフレームを前記第２のユーザー機器に伝送することを含み、前記各資源ブロックのそれぞれには、前記Ｍ個の送信アンテナポートのうち互いに異なる送信アンテナポートに対する参照信号が写像される。
【００４９】
前記Ｍ個の送信アンテナポートのうち前記資源ブロック別に割り当てられる送信アンテナポートの個数は、互いに異なり得る。
【００５０】
前記Ｎは４で、前記Ｍは８で、前記所定個数は２であってもよい。
【００５１】
本発明の更に他の様相に係る、合計Ｍ個の送信アンテナのうちＮ個の送信アンテナをサポートする第１のユーザー機器と、前記Ｍ（Ｍ＞Ｎ）個の送信アンテナをサポートする第２のユーザー機器とをサポートするダウンリンクＭＩＭＯ（Ｍｕｌｔｉ  Ｉｎｐｕｔ  Ｍｕｌｔｉ  Ｏｕｔｐｕｔ）システムにおいて、チャンネル測定のための参照信号（Ｒｅｆｅｒｅｎｃｅ  Ｓｉｇｎａｌ；ＲＳ）を伝送する方法は、基地局で、前記Ｍ個の送信アンテナに対する共通参照信号（Ｃｏｍｍｏｎ  Ｒｅｆｅｒｅｎｃｅ  Ｓｉｇｎａｌ；ＣＲＳ）を伝送するために所定個数のサブフレームと、前記所定個数のサブフレームのそれぞれに含まれた特定個数の資源ブロックをグループ化すること；及び前記所定個数のサブフレームを前記第２のユーザー機器に伝送することを含み、前記グループとして決定された所定個数のサブフレームは、特定周期で前記第２のユーザー機器に伝送され、前記各資源ブロックのそれぞれには、前記Ｍ個の送信アンテナに対する参照信号が分散されて写像される。
【００５２】
前記特定周期は、前記グループに含まれた所定個数のサブフレームのうち最初に伝送されるサブフレームと、次の周期のグループに含まれた所定個数のサブフレームのうち最初に伝送されるサブフレームとの間の間隔を基準にして定めることができる。
【００５３】
前記特定周期は、前記グループに含まれた所定個数のサブフレームのうち最初に伝送されるサブフレームと、次の周期のグループに含まれた所定個数のサブフレームのうち最後に伝送されるサブフレームとの間の間隔を基準にして定めることができる。
【００５４】
前記所定個数のサブフレームは、時間軸上で互いに連続していてもよい。
【００５５】
前記所定個数のサブフレームのそれぞれは、所定オフセットだけ時間軸上で互いに離隔していてもよい。
【００５６】
前記Ｎは４で、前記Ｍは８で、前記所定個数は２であってもよい。
【００５７】
前記サブフレームのそれぞれには、前記Ｍ個の送信アンテナポートに対する参照信号が写像され、前記サブフレームに含まれた前記特定個数の資源ブロックのそれぞれには、前記Ｍ個の送信アンテナポートのうち互いに異なるアンテナポートに対する参照信号が写像され得る。
【００５８】
前記資源ブロックのそれぞれには、前記Ｍ個の送信アンテナポートのうち互いに異なるアンテナポートに対する参照信号が写像され得る。
（項目１）
合計Ｍ個の基地局送信アンテナのうちＮ個の基地局送信アンテナをサポートする第１のユーザー機器と、上記Ｍ（Ｍ＞Ｎ）個の基地局送信アンテナをサポートする第２のユーザー機器とをサポートするダウンリンクＭＩＭＯ（Ｍｕｌｔｉ  Ｉｎｐｕｔ  Ｍｕｌｔｉ  Ｏｕｔｐｕｔ）システムにおいて、チャンネル測定のための参照信号（Ｒｅｆｅｒｅｎｃｅ  Ｓｉｇｎａｌ；ＲＳ）を伝送する方法として、
基地局で、上記Ｍ個の送信アンテナに対する共通参照信号（Ｃｏｍｍｏｎ  Ｒｅｆｅｒｅｎｃｅ  Ｓｉｇｎａｌ；ＣＲＳ）を伝送するために所定個数のサブフレーム又は資源ブロック（Ｒｅｓｏｕｒｃｅ  Ｂｌｏｃｋ；ＲＢ）をグループ化すること；及び
上記所定個数のサブフレーム又は資源ブロックを上記第２のユーザー機器に伝送することを含み、
上記グループとして決定された所定個数のサブフレーム又は資源ブロックは、特定周期で上記第２のユーザー機器に伝送され、
上記所定個数のサブフレーム又は資源ブロックのそれぞれには、上記Ｍを上記所定個数で割り算した値に該当する互いに異なる送信アンテナポートに該当する共通参照信号が写像される参照信号伝送方法。
（項目２）
上記特定周期は、上記グループに含まれた所定個数のサブフレームのうち最初に伝送されるサブフレームと、次の周期のグループに含まれた所定個数のサブフレームのうち最初に伝送されるサブフレームとの間の間隔を基準にして定められる、項目１に記載の参照信号伝送方法。
（項目３）
上記特定周期は、上記グループに含まれた所定個数のサブフレームのうち最初に伝送されるサブフレームと、次の周期のグループに含まれた所定個数のサブフレームのうち最後に伝送されるサブフレームとの間の間隔を基準にして定められる、項目１に記載の参照信号伝送方法。
（項目４）
上記所定個数のサブフレームは時間軸上で互いに連続している、項目１に記載の参照信号伝送方法。
（項目５）
上記所定個数のサブフレームのそれぞれは、所定オフセットだけ時間軸上で互いに離隔している、項目１に記載の参照信号伝送方法。
（項目６）
上記Ｎは４で、上記Ｍは８で、上記所定個数は２である、項目１に記載の参照信号伝送方法。
（項目７）
上記周期によってグループに含まれるサブフレーム上の共通参照信号のパターンは互いに異なる、項目１に記載の参照信号伝送方法。
（項目８）
合計Ｍ個の送信アンテナのうちＮ個の送信アンテナをサポートする第１のユーザー機器と、上記Ｍ（Ｍ＞Ｎ）個の送信アンテナをサポートする第２のユーザー機器とをサポートするダウンリンクＭＩＭＯ（Ｍｕｌｔｉ  Ｉｎｐｕｔ  Ｍｕｌｔｉ  Ｏｕｔｐｕｔ）システムにおいて、チャンネル測定のための参照信号（Ｒｅｆｅｒｅｎｃｅ  Ｓｉｇｎａｌ；ＲＳ）を伝送する方法として、
基地局で、上記Ｍ個の送信アンテナに対する共通参照信号（Ｃｏｍｍｏｎ  Ｒｅｆｅｒｅｎｃｅ  Ｓｉｇｎａｌ；ＣＲＳ）を伝送するためにサブフレーム上の所定個数の資源ブロック（Ｒｅｓｏｕｒｃｅ  Ｂｌｏｃｋ；ＲＢ）をグループ化すること；及び
上記サブフレームを上記第２のユーザー機器に伝送することを含み、上記各資源ブロックのそれぞれには、上記Ｍ個の送信アンテナポートのうち互いに異なる送信アンテナポートに対する参照信号が写像される、参照信号伝送方法。
（項目９）
上記Ｍ個の送信アンテナポートのうち上記資源ブロック別に割り当てられる送信アンテナポートの個数は互いに異なる、項目８に記載の参照信号伝送方法。
（項目１０）
上記Ｎは４で、上記Ｍは８で、上記所定個数は２である、項目１に記載の参照信号伝送方法。
（項目１１）
合計Ｍ個の送信アンテナのうちＮ個の送信アンテナをサポートする第１のユーザー機器と、上記Ｍ（Ｍ＞Ｎ）個の送信アンテナをサポートする第２のユーザー機器とをサポートするダウンリンクＭＩＭＯ（Ｍｕｌｔｉ  Ｉｎｐｕｔ  Ｍｕｌｔｉ  Ｏｕｔｐｕｔ）システムにおいて、チャンネル測定のための参照信号（Ｒｅｆｅｒｅｎｃｅ  Ｓｉｇｎａｌ；ＲＳ）を伝送する方法として、
基地局で、上記Ｍ個の送信アンテナに対する共通参照信号（Ｃｏｍｍｏｎ  Ｒｅｆｅｒｅｎｃｅ  Ｓｉｇｎａｌ；ＣＲＳ）を伝送するために所定個数のサブフレームと、上記所定個数のサブフレームにそれぞれ含まれた特定個数の資源ブロックをグループ化すること；及び
上記所定個数のサブフレームを上記第２のユーザー機器に伝送することを含み、
上記グループとして決定された所定個数のサブフレームは、特定周期で上記第２のユーザー機器に伝送され、上記各資源ブロックのそれぞれには、上記Ｍ個の送信アンテナに対する参照信号が分散されて写像される、参照信号伝送方法。
（項目１２）
上記特定周期は、上記グループに含まれた所定個数のサブフレームのうち最初に伝送されるサブフレームと、次の周期のグループに含まれた所定個数のサブフレームのうち最初に伝送されるサブフレームとの間の間隔を基準にして定められる、項目１１に記載の参照信号伝送方法。
（項目１３）
上記特定周期は、上記グループに含まれた所定個数のサブフレームのうち最初に伝送されるサブフレームと、次の周期のグループに含まれた所定個数のサブフレームのうち最後に伝送されるサブフレームとの間の間隔を基準にして定められる、項目１１に記載の参照信号伝送方法。
（項目１４）
上記所定個数のサブフレームは時間軸上で互いに連続している、項目１１に記載の参照信号伝送方法。
（項目１５）
上記所定個数のサブフレームのそれぞれは、所定オフセットだけ時間軸上で互いに離隔している、項目１１に記載の参照信号伝送方法。
（項目１６）
上記Ｎは４で、上記Ｍは８で、上記所定個数は２である、項目１１に記載の参照信号伝送方法。
（項目１７）
上記サブフレームのそれぞれには、上記Ｍ個の送信アンテナポートに対する参照信号が写像され、上記サブフレームに含まれた上記特定個数の資源ブロックのそれぞれには、上記Ｍ個の送信アンテナポートのうち互いに異なるアンテナポートに対する参照信号が写像される、項目１１に記載の参照信号伝送方法。
（項目１８）
上記資源ブロックのそれぞれには、上記Ｍ個の送信アンテナポートのうち互いに異なるアンテナポートに対する参照信号が写像される、項目１１に記載の参照信号伝送方法。
【発明の効果】
【００５９】
本発明の実施例によると、既存のシステムのユーザー機器と新しいシステムに追加されたユーザー機器のいずれにも効率的にパイロットシンボルを伝送することができる。
【００６０】
本発明で得られる効果は、以上言及した各効果に制限されるものでなく、言及していない他の効果は、下記の記載から本発明の属する技術分野で通常の知識を有する者に明確に理解されるだろう。
【図面の簡単な説明】
【００６１】
【図１】タイプ１の無線フレームの構造を示す図である。
【図２】タイプ２の無線フレームの構造を示す図である。
【図３】ＬＴＥダウンリンクのスロット構造を示す図である。
【図４】ＬＴＥアップリンクのスロット構造を示す図である。
【図５】ダウンリンクサブフレームの構造を示す図である。
【図６】一般的な多重アンテナ（ＭＩＭＯ）通信システムの構成図である。
【図７】１ＴＴＩ（Ｔｒａｎｓｍｉｓｓｉｏｎ  Ｔｉｍｅ  Ｉｎｔｅｒｖａｌ）が１４個のＯＦＤＭシンボルを有する標準循環前置（ｎｏｒｍａｌ  Ｃｙｃｌｉｃ  Ｐｒｅｆｉｘ；ｎｏｒｍａｌ  ＣＰ）を使用するサブフレームにおける端末機専用のダウンリンク参照信号構造を示した図である。
【図８】１ＴＴＩが１２個のＯＦＤＭシンボルを有する拡張循環前置（ｅｘｔｅｎｄｅｄ  Ｃｙｃｌｉｃ  Ｐｒｅｆｉｘ；ｅｘｔｅｎｄｅｄ  ＣＰ）を使用するサブフレームにおける端末機専用のダウンリンク参照信号の構造を示した図である。
【図９】１ＴＴＩが１４個のＯＦＤＭシンボルを有する場合、それぞれ１、２、４個の送信アンテナを有するシステムのための端末機共通のダウンリンク参照信号の構造を示した図である。
【図１０】１ＴＴＩが１４個のＯＦＤＭシンボルを有する場合、それぞれ１、２、４個の送信アンテナを有するシステムのための端末機共通のダウンリンク参照信号の構造を示した図である。
【図１１】１ＴＴＩが１４個のＯＦＤＭシンボルを有する場合、それぞれ１、２、４個の送信アンテナを有するシステムのための端末機共通のダウンリンク参照信号の構造を示した図である。
【図１２】プリコーディングされたＲＳが使用されるときの多重アンテナ送信機の構造を示した図である。
【図１３】（記載なし）
【図１４】ＬＴＥ無線フレーム構造を示した図である。
【図１５】ＣＲＳと単一ストリームビームフォーミングのためのＤＲＳが同時に使用された場合のＲＳ構造の一例を示した図である。
【図１６】無線フレーム上で所定周期で伝送されるＣＲＳを説明するための図である。
【図１７】ＬＴＥシステムで１Ｔｘ又は２Ｔｘである場合の制御チャンネルの資源構成を示した図である。
【図１８】ＬＴＥシステムで４Ｔｘである場合の制御チャンネルの資源構成を示した図である。
【図１９】本発明の一実施例に係るＬＴＥ―Ａ  Ｃ＿ｐｏｒｔをＲＥＧ単位に合わせて２個のグループで構成する方式を説明する図である。
【図２０】本発明の一実施例に係る少なくとも一つ以上のサブフレームからなるグループを用いてＬＴＥ―Ａ  Ｃ＿ｐｏｒｔ＃０〜７を伝送する無線フレームの構造を示した図である。
【図２１】一つのサブフレームを用いてＬＴＥ―Ａ  Ｃ＿ｐｏｒｔ＃０〜７を伝送することを示した図である。
【図２２】本発明の一実施例に係る複数のサブフレームを用いてＬＴＥ―Ａ  Ｃ＿ｐｏｒｔ＃０〜７を伝送する場合のＲＳの構造を示した図である。
【図２３】本発明の一実施例に係る複数のＲＢを用いてＬＴＥ―Ａ  Ｃ＿ｐｏｒｔ＃４〜７を伝送する場合のＲＳの構造を示した図である。
【図２４】本発明の一実施例に係る複数のサブフレームとＲＢを用いてＬＴＥ―Ａ  Ｃ＿ｐｏｒｔ＃０〜７を伝送する場合のＲＳの構造を示した図である。
【図２５】本発明の一実施例に係る複数のサブフレームとＲＢを用いてＬＴＥ―Ａ  Ｃ＿ｐｏｒｔ＃０〜７を伝送する場合のＲＳの構造を示した図である。
【図２６】本発明の一実施例に係る複数のサブフレームとＲＢを用いてＬＴＥ―Ａ  Ｃ＿ｐｏｒｔ＃０〜７を伝送する場合のＲＳの構造を示した図である。
【図２７】本発明の一実施例に係る少なくとも一つ以上のサブフレームからなるグループを用いてＬＴＥ―Ａ  Ｃ＿ｐｏｒｔ＃０〜７を伝送する無線フレームの構造を示した図である。
【図２８】基地局とユーザー機器に適用可能であり、前記説明した方法を行うことができるデバイスの構成を示したブロック図である。
【発明を実施するための形態】
【００６２】
以下、本発明に係る好適な各実施形態を添付の図面を参照して詳細に説明する。添付の図面と共に以下で開示する詳細な説明は、本発明の例示的な実施形態を説明するためのもので、本発明が実施され得る唯一の実施形態を示すためのものではない。以下の詳細な説明は、本発明の完全な理解を促進するために具体的な細部事項を含む。しかし、当業者であれば、本発明がこのような具体的な細部事項がなくても実施され得ることを理解するだろう。例えば、以下の説明では一定の用語を中心に説明するが、これら用語に限定される必要はなく、任意の用語として称される場合にも同一の意味を表すことができる。また、本明細書全体にわたって同一又は類似する構成要素については、同一の図面符号を使用して説明する。
【００６３】
明細書全体において、いずれかの部分がいずれかの構成要素を「含む」とするとき、これは、特別に反対の記載がない限り、他の構成要素を除外するのではなく、他の構成要素をさらに含むことができることを意味する。また、明細書に記載された「…部」、「…機」、「モジュール」などの用語は、少なくとも一つの機能や動作を処理する単位を意味し、これは、ハードウェアやソフトウェア、又はハードウェアとソフトウェアの結合で具現することができる。
【００６４】
まず、パイロットシンボルの構造について説明する前に、参照信号の類型について説明する。
【００６５】
端末機専用参照信号（Ｄｅｄｉｃａｔｅｄ  Ｒｅｆｅｒｅｎｃｅ  Ｓｉｇｎａｌ；ＤＲＳ）は、主に復調のために使用され、プリコーディングされたＲＳ（ｐｒｅｃｏｄｅｄ  ＲＳ）とプリコーディングされていないＲＳ（ｎｏｎ―ｐｒｅｃｏｄｅｄ  ＲＳ）として定義することができる。図１２は、プリコーディングされたＲＳが使用されるときの多重アンテナ送信機の構造を示した図である。図１２において、Ｎｔは物理アンテナの個数を示し、Ｋは空間多重化率を示す。
【００６６】
図１２に示すように、プリコーディングされたＲＳが使用されると、参照信号もプリコーディングされて伝送され、空間多重化率Ｋに該当する個数だけの参照信号が伝送される。このとき、Ｋは、常に物理アンテナであるＮｔより小さいか、それと同じである。
【００６７】
共通参照信号（Ｃｏｍｍｏｎ  Ｒｅｆｅｒｅｎｃｅ  Ｓｉｇｎａｌ；ＣＲＳ）は、復調又は測定の用途に使用することができ、全ての端末機が共有して使用する。図１３は、ＣＲＳが使用されるときの多重アンテナ送信機の構造を示した図である。図１３に示すように、ＲＳは、多重アンテナ技法に影響されず、そのままアンテナによって送信される。したがって、端末機の空間多重化率とは関係なく、常にＮｔ個のＲＳが送信される。
【００６８】
以下では、ＬＴＥ―ＡシステムでＣＲＳとＤＲＳをそれぞれ測定用途と復調用途に使用する場合、既存のＬＴＥ端末機に最小の影響を与えながらＲＳオーバーヘッドを最小化できる方法について説明する。
【００６９】
図１４は、ＬＴＥ無線フレーム構造を示した図である。図１４に示すように、一つの無線フレームは１０個のサブフレームで構成されており、一つのサブフレームは１ｍｓである。ＬＴＥシステムの場合、０番目の送信アンテナ、０番目及び１番目の送信アンテナ、０番目〜３番目の送信アンテナのＣＲＳがそれぞれ送信アンテナの個数によって該当の送信アンテナから伝送され、前記ＣＲＳは、測定用途又は復調用途に使用可能である。したがって、ＤＲＳの助けがなくてもデータの送信及び受信が可能であり、各端末機が使用したプリコーディング情報とランク（又はストリーム個数又は空間多重化率）などが制御チャンネルを介して伝送されなければならない。
【００７０】
さらに、図７と図８のＤＲＳは、単一ストリームビームフォーミング用途に使用され、プリコーディング、ランク情報なしに送信されるように構成することができる。
【００７１】
しかし、ランクが１より大きい場合のために、常にＣＲＳを用いてデータを送信しなければならない。図１５は、ＣＲＳと単一ストリームビームフォーミングのためのＤＲＳが同時に使用された場合のＲＳ構造の一例を示した図である。このとき、図１５は、ＣＲＳがアンテナポート０〜３まで全て伝送される場合を示しているが、アンテナポート０、アンテナポート０〜１のＣＲＳのみが伝送されるＣＲＳ構造も可能である。図１５において、ＤＲＳは、ユーザー機器特定ＲＳ（Ｕｓｅｒ  Ｅｑｕｉｐｍｅｎｔ―ｓｐｅｃｉｆｉｃ
Ｒｅｆｅｒｅｎｃｅ  Ｓｉｇｎａｌ；ＵＥ―ｓｐｅｃｉｆｉｃ  ＲＳ）と同じ意味であり、Ｒ５は、ＬＴＥシステムでのアンテナポート５のＤＲＳを意味する。
【００７２】
このようにＬＴＥシステムではアンテナポートが０〜５まで定義されており、アンテナポート０〜３は、ＣＲＳのために定められており、アンテナポート４は、ＭＢＳＦＮ（Ｍｕｌｔｉ―ｍｅｄｉａ  Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）サブフレームのためのアンテナポートであって、更に他の形態のＲＳ構造のために定義されている。したがって、ＬＴＥ―Ａ端末への最大８（送信アンテナの個数）ｘ８（空間多重化率）伝送のためには、ＤＲＳアンテナポート０〜７とＣＲＳアンテナポート０〜７がさらに定義されなければならない。
【００７３】
以下で、ＬＴＥシステムのアンテナポート０〜５はＬＴＥ  ｐｏｒｔ＃０〜５とし、ＬＴＥ―ＡシステムのＣＲＳとＤＲＳは、それぞれＬＴＥ―Ａ  Ｃ＿ｐｏｒｔ＃０〜７とＤ＿ｐｏｒｔ＃０〜７に区分することにする。また、ＬＴＥ  ｐｏｒｔ＃５とＬＴＥ―Ａ  Ｄ＿ｐｏｒｔ＃０が同一であることは、それぞれのアンテナポートのためのＲＳの位置が同一であることを意味する。
【００７４】
まず、ＬＴＥ―Ａ  Ｃ＿ｐｏｒｔ＃０〜７と関連し、ＣＲＳ伝送について説明する。
【００７５】
（１．ＣＲＳ伝送（ＬＴＥ―Ａ  Ｃ＿ｐｏｒｔ＃０〜７））
ＬＴＥ―Ａシステムでは、ＲＳオーバーヘッドを最小化するために「ｐｅｃｏｄｅｄ  ＤＲＳ」を復調用途に、ＣＲＳを測定用途に区分して使用することができる。このとき、追加的なＲＳオーバーヘッドを減少させるために、ＣＲＳを低いデューティサイクルで伝送するように構成することができる。図１６は、無線フレーム上で所定周期で伝送されるＣＲＳを説明するための図である。ＤＲＳがサブフレームごとに各端末機のために伝送され、ＣＲＳが図１６に示すように所定周期ごとに伝送されるように構成すると、ＣＲＳによって発生する追加的なオーバーヘッドを最小化しながらＤＲＳを通してストリームの個数だけのＲＳを伝送し、ＲＳオーバーヘッドを最小化することができる。図１６は、一つの例であって、ＣＲＳの伝送周期が５ｍｓである場合を示しているが、伝送周期は１０ｍｓ、２０ｍｓ、３０ｍｓなどに多様に構成し、これを基地局が任意に決定して使用することができる。
【００７６】
図１６で、全てのサブフレームは、ＬＴＥ端末機サポートのための送信アンテナの個数だけ１Ｔｘ（ＬＴＥ  ｐｏｒｔ＃０）、２Ｔｘ（ＬＴＥ  ｐｏｒｔ＃０〜１）及び４Ｔｘ（ＬＴＥ  ｐｏｒｔ＃０〜３）のＣＲＳを常に伝送し、ＬＴＥ―Ａ端末機が割り当てられた場合、ＬＴＥ―Ａ  Ｄ＿ｐｏｒｔ＃０〜７は、該当のサブフレームで該当の端末機に割り当てられたＰＤＳＣＨ（Ｐｈｙｓｉｃａｌ  Ｄｏｗｎｌｉｎｋ  Ｓｈａｒｅｄ  Ｃｈａｎｎｅｌ）のみに対して伝送される。また、ＬＴＥ―Ａ  Ｃ＿ｐｏｒｔ＃０〜７の場合、デューティサイクルによって定められた時間区間に合わせて該当のサブフレームで伝送される。このとき、ＬＴＥ―Ａ  Ｃ＿ｐｏｒｔ＃０〜７は、大きく次の二つの方法で伝送することを提案する。
【００７７】
（１）ＬＴＥシステムとアンテナポートを共有してＣＲＳを伝送する方法
ＬＴＥ  ｐｏｒｔ＃０〜３が常に全てのサブフレームで伝送される場合、ＬＴＥ―Ａ  Ｃ＿ｐｏｒｔ＃０〜３はＬＴＥ  ｐｏｒｔ＃０〜３と同一に使用され、このとき、ＬＴＥ
ｐｏｒｔ＃０〜３は常に伝送されているので、ＬＴＥ―Ａ  Ｃ＿ｐｏｒｔ＃０〜３は追加的に伝送されなくてもよい。したがって、追加的なＣＲＳ  ＬＴＥ―Ａ  Ｃ＿ｐｏｒｔ＃４〜７のみを別途に定義して伝送することができる。また、ＬＴＥ  ｐｏｒｔ＃０のみが伝送されたり、ＬＴＥ  ｐｏｒｔ＃０〜１のみが伝送される場合、それぞれＬＴＥ―Ａ
Ｃ＿ｐｏｒｔ＃０のみが同一に使用されたり、ＬＴＥ―Ａ  Ｃ＿ｐｏｒｔ＃０〜１のみが同一に使用されるように構成し、残りのＣＲＳは、追加的に定義されて伝送されるように構成することができる。
【００７８】
（２）ＬＴＥシステムのアンテナポートと独立してＣＲＳを伝送する方法
ＬＴＥ  ｐｏｒｔ＃０〜３とは関係なく、定められた周期で常にＬＴＥ―Ａ  Ｃ＿ｐｏｒｔ＃０〜７が全て伝送されるように構成することができる。このとき、定められた周期で全てのＬＴＥ―Ａ  Ｃ＿ｐｏｒｔ＃０〜７が一つのサブフレーム内で全て伝送されたり、連続する多数のサブフレーム内で伝送されるように構成することもできる。この場合、ＬＴＥ―Ａ  Ｃ＿ｐｏｒｔは、特定資源ブロックのみで伝送されたり、全ての資源ブロックに伝送されることも可能である。また、ＬＴＥ―Ａ  Ｃ＿ｐｏｒｔ＃０〜７は、ＰＤＣＣＨ（Ｐｈｙｓｉｃａｌ  Ｄｏｗｎｌｉｎｋ  Ｃｏｎｔｒｏｌ  Ｃｈａｎｎｅｌ）領域を通して伝送されたり、ＰＤＳＣＨ（Ｐｈｙｓｉｃａｌ  Ｄｏｗｎｌｉｎｋ  Ｓｈａｒｅｄ
Ｃｈａｎｎｅｌ）領域を通して伝送されることも可能である。これに対するそれぞれの場合を、実施例を通して説明することにする。
【００７９】
（第１の実施例）
以下では、本発明の第１の実施例に係るデューティサイクルによって一つのサブフレームでＬＴＥ―Ａ  Ｃ＿ｐｏｒｔ＃０〜７を伝送する方法について説明する。
【００８０】
図１６に示すように、ＬＴＥ―Ａ  Ｃ＿ｐｏｒｔ＃０〜７の伝送周期が決定されると、該当の周期のサブフレームのみでＬＴＥ―Ａ  Ｃ＿ｐｏｒｔ＃０〜７のＲＳが伝送される。このとき、該当のサブフレームで、ＬＴＥ―Ａ  Ｃ＿ｐｏｒｔ＃０〜７は、ＰＤＣＣＨ又はＰＤＳＣＨ領域に伝送されたり、該当のサブフレームの特性によってＰＤＣＣＨ及びＰＤＳＣＨのうち一つを決定して使用することもできる。以下では、ＰＤＣＣＨとＰＤＳＣＨでＣ＿ｐｏｒｔ＃０〜７を伝送する方法をそれぞれ説明する。
【００８１】
１）ＰＤＣＣＨを用いてＬＴＥ―Ａ  Ｃ＿ｐｏｒｔ＃０〜７を伝送する方法
図１７は、ＬＴＥシステムで１Ｔｘ又は２Ｔｘである場合の制御チャンネルの資源構成を示した図である。図１８は、ＬＴＥシステムで４Ｔｘである場合の制御チャンネルの資源構成を示した図である。ＰＤＣＣＨ領域の資源は、ＲＳを除いた連続した４個のＲＥで構成されたＲＥＧ（Ｒｅｓｏｕｒｃｅ  Ｅｌｅｍｅｎｔ  Ｇｒｏｕｐ）が基本単位として構成され、ＰＤＣＣＨ又はＰＨＩＣＨ（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）などの制御チャンネルによってＲＥＧを構成する方法が異なる。図１７と図１８で、ＲＳ０、ＲＳ１、ＲＳ２、ＲＳ３はそれぞれＬＴＥ  ｐｏｒｔ＃０、１、２、３を意味し、各サブフレームの最初の１〜３個のＯＦＤＭシンボルがＰＤＣＣＨ伝送のために伝送可能であり、図１７と図１８は、３個のＯＦＤＭシンボルがＰＤＣＣＨのために使用された場合を示す。ダウンリンク制御のためのチャンネルの資源割り当て単位はＣＣＥ（Ｃｏｎｔｒｏｌ  Ｃｈａｎｎｅｌ  Ｅｌｅｍｅｎｔ）であって、ＣＣＥは９個のＲＥＧで構成される。したがって、一つのＣＣＥをＬＴＥ―Ａ  ｐｏｒｔ＃０〜７のために割り当てると、合計９個のＲＥＧを使用して伝送するようになる。
【００８２】
ＣＣＥを用いてＬＴＥ―Ａ  Ｃ＿ｐｏｒｔ＃０〜７を伝送する場合、ＲＳ伝送方法は、次のように多様な形態で構成することができる。基本的に４個のＬＴＥ―Ａ  Ｃ＿ｐｏｒｔを一つのＲＥＧで伝送できるので、具現を簡単化するために、ＬＴＥ―Ａ  Ｃ＿ｐｏｒｔ＃０〜３をＬＴＥ―Ａ  Ｃ＿ｐｏｒｔ＃Ｇ１と定義し、残りのＬＴＥ―Ａ  Ｃ＿ｐｏｒｔ＃４〜７をＬＴＥ―Ａ  Ｃ＿ｐｏｒｔ＃Ｇ２と定義することができる。ここで、Ｇ１は、ＬＴＥ―Ａ  Ｃ＿ｐｏｒｔ＃０〜３を示し、Ｇ２は、ＬＴＥ―Ａ  Ｃ＿ｐｏｒｔ＃４〜７を示すが、Ｇ１とＧ２は前記とは異なるように構成された相互独立的な二つのグループを示すこともできる。図１９は、本発明の一実施例に係るＬＴＥ―Ａ  Ｃ＿ｐｏｒｔをＲＥＧ単位に合わせて２個のグループで構成する方式を説明する図である。
【００８３】
図１９では、二つのグループをＣＣＥに適用する方法として、二つのグループを順次スイッチングする方法と、二つのグループをＣＣＥ単位で適用する方法を考慮することができ、ＣＣＥにしたがって順序を変えて適用することも可能である。このうち最も基本的に使用できる方法は、Ｇ１とＧ２をそれぞれのＣＣＥ内で順次スイッチングする方法である。一例として、４個のＣＣＥがＬＴＥ―Ａ  Ｃ＿ｐｏｒｔ＃０〜７のために使用されると仮定すると、それぞれのＲＳは、４個のＣＣＥ（１）〜ＣＣＥ（４）に下記の表１のようにマッピング可能である。このとき、ＣＣＥは、論理的及び物理的ＣＣＥのいずれにも該当し得る。
【００８４】
【表１】
2014090498.tif 000021
表１の方式の場合、一つのＣＣＥが奇数のＲＥＧを有しているので、特定ＬＴＥ―Ａ  Ｃ＿ｐｏｒｔグループは、相対的に少ない量のＲＳが伝送されるという短所を有している。したがって、下記の表２のように、ＣＣＥのインデックスによって異なる開始グループを適用し、前記短所を解消することができる。
【００８５】
【表２】
2014090498.tif 000022
表２に示すように、ＣＣＥ（１）とＣＣＥ（３）では開始グループがＧ１で、ＣＣＥ（２）とＣＣＥ（４）では開始グループがＧ２である。これによって、Ｇ１とＧ２が全体のＣＣＥに対して同一の比率で割り当てられ、同一の量のＲＳが伝送される。
【００８６】
一方、下記の表３に示すように、ＣＣＥのインデックスによって特定ＬＴＥ―Ａ  Ｃ＿ｐｏｒｔグループのみが伝送されるように構成することもできる。
【００８７】
【表３】
2014090498.tif 000023
表１〜表３は、一例に過ぎなく、本発明は、表１〜表３に限定されるものでなく、ＬＴＥ―Ａ  Ｃ＿ｐｏｒｔをＣＣＥに割り当てる多様な方式を含む。
【００８８】
２）ＰＤＳＣＨを用いてＣ＿ｐｏｒｔ＃０〜７を伝送する方法
ＰＤＳＣＨ領域にＬＴＥ―Ａ  Ｃ＿ｐｏｒｔ＃０〜７を伝送する場合、ＬＴＥ―Ａ端末機は、該当のＲＳの伝送位置を知っているので、特定ＲＥを定めておいてＬＴＥ―Ａ  Ｃ＿ｐｏｒｔを伝送するのに何ら問題はない。しかし、ＬＴＥ端末機の場合は、ＬＴＥ―Ａ
Ｃ＿ｐｏｒｔ＃０〜７を見ることができないので、該当のＲＳはＬＴＥ端末機に干渉として作用する。したがって、この干渉量を減少できる多様な方法を適用することができる。まず、ＬＴＥ―Ａ  Ｃ＿ｐｏｒｔ＃０〜７のＲＳ電力を常にＬＴＥ  ｐｏｒｔ＃０〜３のＲＳ電力より小さくなるように構成することができる。その他に、ＬＴＥ―Ａ  Ｃ＿ｐｏｒｔ＃０〜７を一つ以上のグループに分けた後、特定資源ブロック（ＲＢ）では特定ＬＴＥ―Ａ  Ｃ＿ｐｏｒｔグループを伝送するように構成することもできる。例えば、ＬＴＥ―Ａ  Ｃ＿ｐｏｒｔ＃０〜３をＧ１とし、ＬＴＥ―Ａ  Ｃ＿ｐｏｒｔ＃４〜７をＧ２とするとき、ＬＴＥ―Ａ  Ｃ＿ｐｏｒｔが伝送されるサブフレームでｎ番目の資源ブロックではＧ１が伝送され、ｎ＋１番目の資源ブロックではＧ２が伝送されるように構成することができる。さらに、ＬＴＥ―Ａ  Ｃ＿ｐｏｒｔ＃０〜７がＲＢごとに伝送されるのではなく、全てが一つの特定ＲＢのみで伝送されるように構成することもできる。
【００８９】
（第２の実施例）
以下では、本発明の第２の実施例に係るデューティサイクルによって一つのサブフレームグループでＬＴＥ―Ａ  Ｃ＿ｐｏｒｔ＃０〜７を伝送する方法について説明する。
【００９０】
一つのサブフレームで全てのＬＴＥ―Ａ  Ｃ＿ｐｏｒｔ＃０〜７のＲＳを伝送するには、ＰＤＣＣＨ又はＰＤＳＣＨの使用可能なＲＥＧ又はＲＥの個数が不足になり得る。また、該当のＲＳがＬＴＥ端末機に与える干渉の量が非常に大きいので、これに対する問題を解決するためにＬＴＥ―Ａ  Ｃ＿ｐｏｒｔ＃０〜７の個数を減少させて使用することができる。したがって、一つのサブフレーム又は一つの資源ブロック（Ｒｅｓｏｕｒｃｅ  Ｂｌｏｃｋ；ＲＢ）で全てのＬＴＥ―Ａ  Ｃ＿ｐｏｒｔ＃０〜７を伝送せずに、一つ以上のサブフレーム又はＲＢをグループとして定義して伝送することを提案する。
【００９１】
図２０は、本発明の一実施例に係る少なくとも一つ以上のサブフレームからなるグループを用いてＬＴＥ―Ａ  Ｃ＿ｐｏｒｔ＃０〜７を伝送する無線フレームの構造を示した図である。図２０では、グループの開始サブフレームを基準にしてデューティサイクルが決定されるように構成することができる。
【００９２】
図２０では、２個のサブフレームを一つのグループとして定義し、前記一つのグループの１番目のサブフレームでＬＴＥ―Ａ  Ｃ＿ｐｏｒｔ＃０〜３を伝送し、前記一つのグループの２番目のサブフレームでＬＴＥ―Ａ  Ｃ＿ｐｏｒｔ＃４〜７を伝送する形態で構成したが、相互独立的なアンテナポートをグループとして構成することができる。また、Ｎ個のサブフレームをグループとして決定する場合、８／Ｎ個の相互独立的なアンテナで構成されたＮ個のサブフレームをグループとして構成して伝送することができる。本方式を適用するにおいて、実施例１のＰＤＣＣＨとＰＤＳＣＨ上でＬＴＥ―Ａ  Ｃ＿ｐｏｒｔ＃０〜７を伝送する技法を適用することができる。これによると、全てのＮ個のアンテナポートグループが同一のデューティサイクルを有して伝送されるが、各アンテナポートグループは、１番目のポートグループを基準にして整数値のオフセットを有し、オフセットに該当する個数のサブフレームの後にＣＲＳが伝送される形態で構成することができる。このとき、ＣＲＳパターンは、サブフレーム別に同一に又は異なるように構成することができる。
【００９３】
図２１は、一つのサブフレームを用いてＬＴＥ―Ａ  Ｃ＿ｐｏｒｔ＃０〜７を伝送することを示す図で、図２２は、本発明の一実施例に係る複数のサブフレームを用いてＬＴＥ―Ａ  Ｃ＿ｐｏｒｔ＃０〜７を伝送する場合のＲＳの構造を示した図である。図２１で一つのサブフレームに含まれたＬＴＥ―Ａ  ＣＲＳ（図２１ではＣ４〜Ｃ７と表示）を、図２２で二つのグループに区分し、各グループに含まれたＬＴＥ―Ａ  ＣＲＳを連続した二つのサブフレームで伝送する。
【００９４】
また、図２３は、本発明の一実施例に係る複数のＲＢを用いてＬＴＥ―Ａ  Ｃ＿ｐｏｒｔ＃０〜７を伝送する場合のＲＳの構造を示した図である。これを詳細に説明すると、図２３は、２個のＲＢのうち一つのＲＢにＬＴＥ―Ａ  Ｃ＿ｐｏｒｔ＃０〜３を伝送し、残りのＲＢにＬＴＥ―Ａ  Ｃ＿ｐｏｒｔ＃４〜７を伝送する場合のＲＳの構造を示した図である。
【００９５】
図２３に示すように、ＲＢ＃ｎではＣＲＳ  ｇｒｏｕｐ１（例えば、Ｃ＿ｐｏｒｔ＃０〜３）を伝送し、ＲＢ＃ｎ＋１ではＣＲＳ  ｇｒｏｕｐ２（例えば、Ｃ＿ｐｏｒｔ＃４〜７）を伝送する形態で構成することができる。図２３の各ＲＢ当たりのＬＴＥ―Ａ  ＣＲＳの個数と位置などは変更可能であって、ＣＲＳグループもＮ個で構成可能である。Ｎ個のＣＲＳグループの場合、Ｎ個のＲＢをグループとして指定して伝送することができる。さらに、Ｎ個のＣＲＳグループが作られる場合、各ＣＲＳグループ別にＣ―ｐｏｒｔの個数が異なり、ＣＲＳグループによって割り当てられるＬＴＥ―Ａ  ＣＲＳの個数が異なり得る。
【００９６】
図２４は、本発明の一実施例に係る複数のサブフレームとＲＢを用いてＬＴＥ―Ａ  Ｃ＿ｐｏｒｔ＃０〜７を伝送する場合のＲＳの構造を示した図である。図２４に示すように、多数のサブフレームと多数のＲＢは、ＬＴＥ―Ａ  Ｃ＿ｐｏｒｔ＃０〜７を伝送するためのグループとして構成することができる。図２４では、サブフレーム＃ｋのＲＢ＃ｎは、ＲＢ＃ｎではＣＲＳグループ１（例えば、Ｃ＿ｐｏｒｔ＃０〜３）を伝送し、ＲＢ＃ｎ＋１ではＣＲＳグループ２（例えば、Ｃ＿ｐｏｒｔ＃４〜７）を伝送し、サブフレーム＃ｋ＋１のＲＢ＃ｎではＣＲＳグループ１（例えば、Ｃ＿ｐｏｒｔ＃０〜３）を伝送し、ＲＢ＃ｎ＋１ではＣＲＳグループ２（例えば、Ｃ＿ｐｏｒｔ＃４〜７）を伝送するように構成する。
【００９７】
図２５は、本発明の一実施例に係る複数のサブフレームとＲＢを用いてＬＴＥ―Ａ  Ｃ＿ｐｏｒｔ＃０〜７を伝送する場合のＲＳの構造を示した図である。図２５に示すように、ＬＴＥ―Ａ  ＣＲＳグループ１〜４は、それぞれサブフレーム＃ｋのＲＢ＃１及びＲＢ＃２とサブフレーム＃ｋ＋１のＲＢ＃１及びＲＢ＃２の割り当てを受け、一つのグループを形成するように構成される。このとき、各ＲＢには、互いに異なるＣＲＳグループが写像されるように構成される。
【００９８】
図２６は、本発明の一実施例に係る複数のサブフレームとＲＢを用いてＬＴＥ―Ａ  Ｃ＿ｐｏｒｔ＃０〜７を伝送する場合のＲＳの構造を示した図である。特に、図２６は、４個のＣＲＳグループに含まれる各ＣＲＳが多数のサブフレームと多数のＲＢに分散されて写像される構造を示している。図２４は、４個のグループを例に挙げているが、図２６は、Ｎ個のＣＲＳグループにも適用可能である。
【００９９】
さらに、デューティサイクルごとに又はｍ（ｍは所定の整数）デューティサイクル周期ごとにアンテナポートグループのサブフレームの位置が交換されたり、アンテナポートグループの個数が３個以上である場合、循環的にサブフレームの位置が変更されるように構成することができる。
【０１００】
下記の表４は、Ｒｅｌ―８システムでＴＤＤ（Ｔｉｍｅ  Ｄｉｖｉｓｉｏｎ  Ｄｕｐｌｅｘ）システムのアップリンク及びダウンリンクサブフレームの構成を示している。ＦＤＤ（Ｆｒｅｑｕｅｎｃｙ  Ｄｉｖｉｓｉｏｎ  Ｄｕｐｌｅｘ）システムとは異なり、一つの無線フレームでダウンリンクＣＳＩ―ＲＳを伝送できるサブフレームが制限されていることが分かる。
【０１０１】
【表４】
2014090498.tif 000024
表４において、Ｄはダウンリンクサブフレームを示し、Ｕはアップリンクサブフレームを示し、Ｓはスペシャルサブフレームを示す。この場合、二つ以上のアンテナポートグループを一つのデューティサイクル内に伝送するためには、表４のダウンリンク及びアップリンク構成によって適用可能な構成と適用可能でない構成を区分して使用することができる。例えば、構成３、４及び５では、多重アンテナグループを用いて一つ以上のサブフレームを通してＲＳを伝送し、残りの構成では、アンテナポートグループを定めずに、一つのダウンリンクサブフレームＤに全ての送信アンテナのＲＳを伝送することができる。また、ダウンリンクサブフレームＤと同様に、スペシャルサブフレームＳを使用してＲＳを伝送する方法も適用することができる。
【０１０２】
表４に示すように、構成によってスイッチングポイントの周期が異なるように設定することができる。このとき、最小デューティサイクルは、スイッチングポイントの周期と同じであるか、それより大きくなるように設定して使用することができる。
【０１０３】
一方、下記の表５は、Ｎ個のサブフレームがグループとして決定された場合、各サブフレームの位置によって伝送されるアンテナポートの位置を説明している。表５の場合は、２個のサブフレームをグループとして割り当て、各サブフレームの２個のＣＣＥを使用するときを仮定する。
【０１０４】
【表５】
2014090498.tif 000025
すなわち、表５の方法は、特定ＬＴＥ―Ａ  Ｃ＿ｐｏｒｔグループが、該当のサブフレームでＣＣＥの個数とは関係なく全てのＣＣＥ上で伝送される方式である。ここで、Ｇ１は、ＬＴＥ―Ａ  Ｃ＿ｐｏｒｔ＃０〜３を示し、Ｇ２は、ＬＴＥ―Ａ  Ｃ＿ｐｏｒｔ＃４〜７を示すこともでき、前記とは異なる形態の相互独立的なアンテナグループで構成された二つのグループを示すことができる。
【０１０５】
図２７は、本発明の一実施例に係る少なくとも一つ以上のサブフレームからなるグループを用いてＬＴＥ―Ａ  Ｃ＿ｐｏｒｔ＃０〜７を伝送する無線フレームの構造を示した図である。図２２では、グループの１番目のサブフレームを基準にしてデューティサイクルを構成したが、図２７では、以前のグループの最後のサブフレームと次の周期のグループの最初のサブフレームを基準にしてデューティサイクルを構成する。
【０１０６】
前記各方法のうちサブフレームグループ内で伝送されるＧ１とＧ２は、互いに異なるサブフレームで同一のＣＣＥを使用したり、同一のＰＤＳＣＨのＲＥ位置を使用するように構成することもでき、Ｇ１とＧ２が互いに直交するように構成することもできる。このとき、二つのグループに分けて使用する方法に限定されず、ＬＴＥ―Ａ  Ｃ＿ｐｏｒｔ＃０〜７をＮ個のグループに分けて使用することも可能である。
【０１０７】
（第３の実施例）
前記第１の実施例と同様に、一つのサブフレームで全てのＣＲＳアンテナポートであるＬＴＥ―Ａ  Ｃ＿ｐｏｒｔ＃０〜７を伝送するように構成する場合、ＬＴＥ端末機との干渉を最小化するためにサブフレーム内でＲＳオーバーヘッドを最小化するように構成したので、チャンネル推定性能向上が必要である。したがって、本実施例では、前記第１の実施例の構成を用い、チャンネル推定性能向上のためにｋ個のサブフレームの間ＣＲＳを繰り返して伝送することを提案する。ｋは、１〜Ｋ（Ｋ＞１）のうち一つの値を有するように設定され、ｋ＝１は、繰り返すことなく一つのサブフレームの間ＣＲＳを伝送することを意味する。
【０１０８】
本実施例は、前記第１の実施例で説明した全ての方法を適用することができる。また、ｋ個のサブフレームを一つのグループと見なし、図２０と図２５のようにデューティサイクルを構成することができる。このとき、繰り返されるサブフレームのＣＲＳパターンは、同一であるか、周波数軸又は時間軸に沿って遷移した形態で構成することもできる。また、これらは、ＣＲＳグループ間で交換される形態で構成することもできる。
【０１０９】
一方、ＭＢＳＦＮ（Ｍｕｌｔｉ―Ｍｅｄｉａ  Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）サブフレームを用いてＬＴＥ―Ａオンリーサブフレーム（ＬＴＥ―Ａ  ｏｎｌｙ  ｓｕｂｆｒａｍｅ）を構成する方法について説明する。ＬＴＥ―Ａオンリーサブフレームは、ＬＴＥ―Ａ端末をサポートするサブフレームと定義する。ＬＴＥシステムでＭＢＳＦＮサブフレームが定義されており、ＭＢＳＦＮサブフレームでは、ＬＴＥ端末機がＰＤＳＣＨ（Ｐｈｙｓｉｃａｌ  Ｄｏｗｎｌｉｎｋ  Ｓｈａｒｅｄ  Ｃｈａｎｎｅｌ）を伝送できないように構成されている。しかし、サブフレームの０〜１番目のＯＦＤＭシンボルへの制御チャンネルの伝送は可能である。したがって、ＭＢＳＦＮサブフレームでＬＴＥ―Ａ  ＰＤＳＣＨ伝送が可能になるように設定すると、ＬＴＥ―Ａ端末機は、ＬＴＥ  ｐｏｒｔ＃０〜３の影響なくＬＴＥ―Ａ  Ｃ＿ｐｏｒｔ＃０〜７とＬＴＥ―Ａ  Ｄ＿ｐｏｒｔ＃０〜７を用いてデータを送信及び受信できるという長所がある。したがって、基地局は、ＬＴＥ端末機に該当のサブフレームをＭＢＳＦＮサブフレームとして定義しておき、ＬＴＥ―Ａ端末機には、該当のサブフレームをＰＤＳＣＨ伝送が可能なＬＴＥ―Ａオンリーサブフレームとして定義して使用することができる。この場合、ＰＤＳＣＨ領域にＬＴＥ  ｐｏｒｔ＃０〜３が存在しないので、ＬＴＥ―Ａ端末機のためのＬＴＥ―Ａ  Ｄ＿ｐｏｒｔ＃０〜７を各端末機のランク、レイヤの個数、空間多重化率によって伝送し、ＬＴＥ―Ａ端末機はこれを用いて復調を行うことができる。
【０１１０】
このとき、ＣＲＳは、デューティサイクルによって伝送され、前記説明した各実施例のようにＬＴＥ―Ａ  Ｃ＿ｐｏｒｔ＃０〜７が伝送されるが、多数のサブフレームをグループ化して使用する場合、Ｇ１とＧ２がグループ内の特定サブフレームで伝送される方式を維持しながら、デューティサイクルにＬＴＥ―Ａオンリーサブフレームが存在する場合、Ｇ１とＧ２が共に伝送される構造で使用することができる。例えば、ＬＴＥ―Ａ  Ｃ＿ｐｏｒｔ＃０〜３がＧ１にグルーピングされ、サブフレームグループの１番目のサブフレームで伝送され、ＬＴＥ―Ａ  Ｃ＿ｐｏｒｔ＃０〜４がＧ２にグルーピングされ、残りのサブフレームで伝送されながらＬＴＥ―Ａオンリーサブフレームで同時に伝送される形態で構成することができる。このとき、各グループＧ１、Ｇ２は、互いに時間及び周波数又はコード領域で直交するように設計しなければならない。
【０１１１】
以上、ＬＴＥ―Ａ  Ｃ＿ｐｏｒｔ＃０〜７の伝送について説明した。以下では、ＬＴＥ―Ａ  ＤＲＳの伝送について説明する。
【０１１２】
（２．ＤＲＳ伝送（ＬＴＥ―Ａ  Ｄ＿ｐｏｒｔ＃０〜７））
以下では、「ｐｅｃｏｄｅｄ  ＤＲＳ」と「ｎｏｎ―ｐｒｅｃｏｄｅｄ  ＤＲＳ」をサブフレームによって又はランク、レイヤの個数又は空間多重化率によって適宜組み合わせて使用する方法について説明する。
【０１１３】
さらに、ＬＴＥ―Ａ  Ｄ＿ｐｏｒｔ＃０〜７のオーバーヘッドを最小化するためにサブフレーム、ＬＴＥ―Ａ端末機又は無線フレームなどによってランクを制限できるように構成することができる。「ｐｅｃｏｄｅｄ  ＤＲＳ」と「ｎｏｎ―ｐｒｅｃｏｄｅｄ  ＤＲＳ」の構成方法は、下記の表６のように構成することができる。
【０１１４】
さらに、ＬＴＥ―Ａ  Ｄ＿ｐｏｒｔ＃０〜７のオーバーヘッドを最小化するためにサブフレーム、ＬＴＥ―Ａ端末機又は無線フレームなどによってランクを制限できるように構成することができる。「ｐｅｃｏｄｅｄ  ＤＲＳ」と「ｎｏｎ―ｐｒｅｃｏｄｅｄ  ＤＲＳ」の構成方法は、下記の表６のように構成することができる。
【０１１５】
【表６】
2014090498.tif 000026
表６のようにシステムを構成すると、ＬＴＥ―ＡオンリーサブフレームではＬＴＥ―Ａ
Ｄ＿ｐｏｒｔ＃０〜７がＬＴＥ  ｐｏｒｔ＃０〜３と独立的に構成される。他のサブフレームでは、ランク５〜８をサポートしなければならないとき、ＬＴＥ―Ａ  Ｄ＿ｐｏｒｔ０〜３がＬＴＥ  ｐｏｒｔ＃０〜３と共有され、残りのＬＴＥ―Ａ  Ｄ―ｐｏｒｔ＃４〜７がプリコーディングされずに伝送されるので、合計８個の送信アンテナのチャンネルを受信することができる。しかし、この場合、プリコーディング情報とランク情報が端末機に送信されなければならない。
【０１１６】
前記のような方法を適用する場合、システムが複雑になるという短所があるので、サブフレームでＬＴＥ―Ａ端末が受信できる最大のレイヤの個数を４に制限すると、表６で「ｎｏｎ―ｐｒｅｃｏｄｅｄ  ＤＲＳ」を使用せずにＤＲＳオーバーヘッドを減少させることができる。したがって、下記の表７のように、ＬＴＥ―Ａ端末は、ＬＴＥ―Ａオンリーサブフレーム（ＭＢＳＦＮサブフレーム）のみで最大８個のレイヤ伝送が可能であり、残りのサブフレームでは最大４個のレイヤまで送信できるように構成することができる。
【０１１７】
【表７】
2014090498.tif 000027
図２８は、基地局とユーザー機器に適用可能であり、前記で説明した方法を行うことができるデバイスの構成を示したブロック図である。図２８に示すように、デバイス１００は、処理ユニット１０１、メモリユニット１０２、ＲＦ（Ｒａｄｉｏ  Ｆｒｅｑｕｅｎｃｙ）ユニット１０３、ディスプレイユニット１０４及びユーザーインターフェースユニット１０５を含む。物理インターフェースプロトコルの階層の機能は、前記処理ユニット１０１で行われる。前記処理ユニット１０１は、制御プレーンとユーザープレーンを提供する。各階層の機能は処理ユニット１０１で行われ得る。メモリユニット１０２は、処理ユニット１０１と電気的に連結されており、オペレーティングシステム、応用プログラム及び一般ファイルを格納している。前記デバイス１００がユーザー機器であると、ディスプレイユニット１０４は、多様な情報を表示することができ、公知のＬＣＤ（Ｌｉｑｕｉｄ
Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）などを用いて具現することができる。ユーザーインターフェースユニット１０５は、キーパッド、タッチスクリーンなどのような公知のユーザーインターフェースと結合して構成することができる。ＲＦユニット１０３は、処理ユニット１０１と電気的に連結されており、無線信号を伝送又は受信する。
【０１１８】
以上説明した各実施例は、本発明の各構成要素と各特徴が所定形態で結合されたものである。各構成要素又は特徴は、別途の明示的な言及がない限り、選択的なものとして考慮しなければならない。各構成要素又は特徴は、他の構成要素や特徴と結合されない形態で実施することができる。また、一部の構成要素及び／又は各特徴を結合して本発明の実施例を構成することも可能である。本発明の各実施例で説明する各動作の順序は変更可能である。いずれかの実施例の一部の構成や特徴は、他の実施例に含まれたり、又は、他の実施例の対応する構成又は特徴に取り替えられる。特許請求の範囲で明示的な引用関係のない各請求項を結合して実施例を構成したり、出願後の補正によって新しい請求項を含ませることができることは自明である。
【０１１９】
本発明で、ユーザー機器（Ｕｓｅｒ  Ｅｑｕｉｐｍｅｎｔ；ＵＥ）は、移動端末（ＭＳ：Ｍｏｂｉｌｅ  Ｓｔａｔｉｏｎ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）又は端末（Ｍｏｂｉｌｅ  Ｔｅｒｍｉｎａｌ）などの用語に取り替えられる。
【０１２０】
一方、本発明のＵＥとしては、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどが用いられる。
【０１２１】
本発明の各実施例は多様な手段を通して具現することができる。例えば、本発明の各実施例は、ハードウェア、ファームウェア、ソフトウェア又はそれらの結合などによって具現することができる。
【０１２２】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１２３】
ファームウエアやソフトウェアによる具現の場合、本発明の各実施例に係る方法は、以上説明した機能又は動作を行うモジュール、手順又は関数などの形態で具現することができる。ソフトウェアコードは、メモリユニットに格納されてプロセッサによって駆動され得る。前記メモリユニットは、前記プロセッサの内部又は外部に位置し、既に公知となった多様な手段によって前記プロセッサとデータを取り交わすことができる。
【０１２４】
本発明は、その精神及び必須特徴を逸脱しない範囲で他の特定の形態で具体化することができる。したがって、前記詳細な説明は、全ての面で制限的に解釈してはならず、例示的なものとして考慮しなければならない。本発明の範囲は、添付された請求項の合理的な解釈によって決定しなければならなく、本発明の等価的範囲内での全ての変更は本発明の範囲に含まれる。また、特許請求の範囲で明示的な引用関係のない各請求項を結合して実施例を構成したり、出願後の補正によって新しい請求項を含ませることができる。
【産業上の利用可能性】
【０１２５】
本発明は、無線移動通信システムの端末機、基地局、又はその他装備に使用可能である。
【図１】
2014090498.tif 000028
【図２】
2014090498.tif 000029
【図３】
2014090498.tif 000030
【図４】
2014090498.tif 000031
【図５】
2014090498.tif 000032
【図７】
2014090498.tif 000033
【図８】
2014090498.tif 000034
【図９】
2014090498.tif 000035
【図１０】
2014090498.tif 000036
【図１１】
2014090498.tif 000037
【図１２】
2014090498.tif 000038
【図１３】
2014090498.tif 000039
【図１４】
2014090498.tif 000040
【図１５】
2014090498.tif 000041
【図１６】
2014090498.tif 000042
【図１７】
2014090498.tif 000043
【図１８】
2014090498.tif 000044
【図１９】
2014090498.tif 000045
【図２０】
2014090498.tif 000046
【図２２】
2014090498.tif 000047
【図２３】
2014090498.tif 000048
【図２４】
2014090498.tif 000049
【図２５】
2014090498.tif 000050
【図２６】
2014090498.tif 000051
【図２７】
2014090498.tif 000052
【図２８】
2014090498.tif 000053
【図６】
2014090498.tif 000054
【図２１】
2014090498.tif 000055